(57)【要約】【課題】見た目のお洒落と香りのお洒落の双方を楽しむことができ、しかも適度な香りを長時間楽しめる画期的な装身具用装飾体を提供する。【解決手段】装着部１を挿通連結する挿通孔２ａを有する本体部２は、香料液をしみ込ませる保水性部材３を収納する収納部４を有する中空形状に形成すると共に、複数の分割体２Ａから成る構成とし、この複数の分割体２Ａ同志を分離せしめることで前記収納部４が開放する，若しくは分割体２Ａ同志をヒンジ部11を介して回動自在に連結しこの分割体２Ａ同志を開放回動することで収納部４が開放するように構成し、この本体部２の一部に、前記収納部４内の保水性部材３にしみ込ませた香料液の香りを外部へ導出する香り導出部５を設けると共に、前記保水性部材３にしみ込ませた香料液が液相のまま前記香り導出部５を介して外部へ漏流することは阻止されるように前記保水性部材３の保水性を設定する。【選択図】図１
0003136989.tif 000002
【実用新案登録請求の範囲】
【請求項１】
チェーンやリングなどの装着部に連結して着用する装身具用装飾体であって、前記装着部を挿通連結する挿通孔を有する本体部を備え、この本体部は、香料液をしみ込ませる保水性部材を収納する収納部を有する中空形状に形成すると共に、複数の分割体から成る構成とし、この本体部を構成する複数の分割体同志を分離せしめることでこの中空形状の本体部の前記収納部が開放され，若しくはこの複数の分割体同志をヒンジ部を介して回動自在に連結すると共にこの分割体同志を開放回動することで収納部が閉塞状態から開放され、この開放した収納部に前記保水性部材を出し入れし得るように前記本体部を構成し、この本体部に、前記収納部内の保水性部材にしみ込ませた香料液の香りを外部へ導出する香り導出部を設け、前記収納部内に収納した保水性部材にしみ込ませた香料液からの香りは前記香り導出部から本体部の外部へ導出でき、且つこの香料液が液体のまま前記香り導出部から本体部の外部へ漏流することは前記保水性部材が香料液を保水することによって阻止し得るように前記本体部を構成したことを特徴とする装身具用装飾体。
【請求項２】
前記香り導出部は、前記本体部の収納部内からこの本体部の外部へと通ずる導出孔をこの本体部の所定箇所に形成して成る構成としたことを特徴とする請求項１記載の装身具用装飾体。
【請求項３】
前記本体部に貫通形成した前記挿通孔の途中部とこの本体部の前記収納部とを連通する連通路を本体部に形成し、この連通路と前記挿通孔とによって前記本体部の収納部内からこの本体部の外部へと通ずる前記導出孔を構成したことを特徴とする請求項２記載の装身具用装飾体。
【請求項４】
前記本体部は、少なくとも二体の前記分割体同士を互いに螺着及び螺脱自在に構成してこの二体の分割体同志を着脱自在に構成したことを特徴とする請求項１〜３のいずれか１項に記載の装身具用装飾体。
【請求項５】
前記本体部は、少なくとも二体の前記分割体同志を互いに付き合わせると共にその付き合わせ面の端部を前記ヒンジ部を介して枢着連結し、この二体の分割体同志を回動することで前記収納部を開放回動及び閉塞回動し得るように構成したことを特徴とする請求項１〜３のいずれか１項に記載の装身具用装飾体。
【考案の詳細な説明】
【技術分野】
【０００１】
本考案は、チェーンやリングなどの装着体に連結されて着用される装身具用の装飾体に関するものである。
【背景技術】
【０００２】
従来から、首に下げるペンダント，手首や足首に付けるブレスレットやアンクレット，指に嵌めるファッションリングなど様々な形態の装飾具が提案されている（例えば特許文献１，２など）。これらは、装飾体を取り付けた例えばチェーンやリングなどの装着部を身に着けて、その見た目のお洒落を楽しむことができるものである。
【０００３】
また、見た目を楽しむお洒落だけでなく、香りを楽しむ香水も重要なお洒落のアイテムの一つと言える。
【０００４】
しかし、香水は肌に付ける量が多すぎると必要以上に香りが強くなってしまい、反対に肌に付ける量が少なすぎると香りの持続時間が少なく直ぐに香りが消失してしまうなど、適度な（ほのかな）香りを長時間楽しむことはなかなか難しい。
【０００５】
【特許文献１】特開２００６−３０４９２７号公報
【特許文献２】特開２００６−１０１９５８号公報
【考案の開示】
【考案が解決しようとする課題】
【０００６】
本考案は、上述した現状に鑑み、見た目のお洒落だけでなく香りも楽しむことができ、しかも適度な（ほのかな）香りを長時間楽しむことも容易に可能な画期的で商品価値の高い装身具用装飾体を提供することを課題とするものである。
【課題を解決するための手段】
【０００７】
添付図面を参照して本考案の要旨を説明する。
【０００８】
チェーンやリングなどの装着部１に連結して着用する装身具用装飾体であって、前記装着部１を挿通連結する挿通孔２ａを有する本体部２を備え、この本体部２は、香料液をしみ込ませる保水性部材３を収納する収納部４を有する中空形状に形成すると共に、複数の分割体２Ａから成る構成とし、この本体部２を構成する複数の分割体２Ａ同志を分離せしめることでこの中空形状の本体部２の前記収納部４が開放され，若しくはこの複数の分割体２Ａ同志をヒンジ部11を介して回動自在に連結すると共にこの分割体２Ａ同志を開放回動することで収納部４が閉塞状態から開放され、この開放した収納部４に前記保水性部材３を出し入れし得るように前記本体部２を構成し、この本体部２に、前記収納部４内の保水性部材３にしみ込ませた香料液の香りを外部へ導出する香り導出部５を設け、前記収納部４内に収納した保水性部材３にしみ込ませた香料液からの香りは前記香り導出部５から本体部２の外部へ導出でき、且つこの香料液が液体のまま前記香り導出部５から本体部２の外部へ漏流することは前記保水性部材３が香料液を保水することによって阻止し得るように前記本体部２を構成したことを特徴とする装身具用装飾体に係るものである。
【０００９】
また、前記香り導出部５は、前記本体部２の収納部４内からこの本体部２の外部へと通ずる導出孔５ａをこの本体部２の所定箇所に形成して成る構成としたことを特徴とする請求項１記載の装身具用装飾体に係るものである。
【００１０】
また、前記本体部２に貫通形成した前記挿通孔２ａの途中部とこの本体部２の前記収納部４とを連通する連通路６を本体部２に形成し、この連通路６と前記挿通孔２ａとによって前記本体部２の収納部４内からこの本体部２の外部へと通ずる前記導出孔５ａを構成したことを特徴とする請求項２記載の装身具用装飾体に係るものである。
【００１１】
また、前記本体部２は、少なくとも二体の前記分割体２Ａ同士を互いに螺着及び螺脱自在に構成してこの二体の分割体２Ａ同志を着脱自在に構成したことを特徴とする請求項１〜３のいずれか１項に記載の装身具用装飾体に係るものである。
【００１２】
また、前記本体部２は、少なくとも二体の前記分割体２Ａ同志を互いに付き合わせると共にその付き合わせ面の端部を前記ヒンジ部11を介して枢着連結し、この二体の分割体２Ａ同志を回動することで前記収納部４を開放回動及び閉塞回動し得るように構成したことを特徴とする請求項１〜３のいずれか１項に記載の装身具用装飾体に係るものである。
【考案の効果】
【００１３】
本考案は上述のように構成したから、着用者の好みの香料液をしみ込ませた保水性部材を本体部の収納部内に収納することで、前記香料液からの香りを収納部内から香り導出部を介して本体部の外部へ導出できる。
【００１４】
つまり、着用者は、装着部に連結した本体部の外観上の装飾性だけでなく、この本体部から導出される前記香料液からの香りを楽しむこともできる。
【００１５】
しかも、香料液を肌に直接付けるのではなく、本体部の収納部内の保水性部材に香料液をたっぷりとしみ込ませておくことができるので、その香りを長時間維持し、長時間楽しむことができる。更にこの香料液が液体のまま本体部の外部へと漏流することも前記保水性部材により保水・阻止できる。
【００１６】
その上、香料液からの香りは収納部内から香り導出部を介して本体部の外部へと導出させるので、例えばこの香り導出部を単に小さな孔に設計するなど、この香り導出部の設計次第で強すぎず適度な（ほのかな）香りが導出されるように構成することも容易に設計・実現可能である。
【００１７】
よって本考案は、香り適度な強さで長時間維持できるように構成でき、見た目のお洒落だけでなく香りのお洒落も極めて良好に楽しむことができる画期的で極めて商品価値の高い装身具用装飾体となる。
【００１８】
また、請求項２，３記載の考案においては、香り導出部を、シンプル構造ながら香料液からの香りを確実に本体部の外部へと導出できる構成としたから、より一層容易に且つ良好に本考案を実現できる実用性に秀れた装身具用装飾体となる。特に請求項３記載の考案においては、単に本体部の挿通孔の途中部とこの本体部の収納部とを連通する連通路を形成するだけで、装着部を挿通連結するための挿通孔が前記香り導出部の一部を兼ねることとなり、一層簡単且つ良好に本体部に香り導出部を形成できる。
【００１９】
また、請求項４記載の考案においては、本体部を構成する分割体同志をシンプルな螺着構造による着脱構造としたから、容易に製造可能にして簡単に分割体同志を着脱できる一層秀れた構成の装身具用装飾体となる。
【００２０】
また、請求項５記載の考案においては、少なくとも二体の分割体同志を枢着連結して成るシンプルな連結構造ながら、本体部の収納部の開閉（開放回動及び閉塞回動）構造を簡単に実現でき、容易に製造可能にして一層実用性に秀れた装身具用装飾体となる。
【考案を実施するための最良の形態】
【００２１】
好適と考える本考案の実施形態（考案をどのように実施するか）を、図面に基づいて本考案の作用を示して簡単に説明する。
【００２２】
本考案は、チェーンやリングなどの装着部１に連結して着用する装身具用装飾体であり、例えばペンダント（装身具）のチェーン（装着部１）に連結するペンダントトップとして使用される装身具用装飾体である。
【００２３】
本体部２は、好みの装着部１を挿通連結できる挿通孔２ａを有しており、この挿通孔２ａに装着部１を挿通連結して装着部１に本体部２を連結し、着用できる。
【００２４】
本体部２は、収納部４を有する中空形状に形成すると共に複数の分割体２Ａから成る構成であり、この本体部２を構成する複数の分割体２Ａ同志を分離せしめることで本体部２の収納部４を開放できる。若しくは、本体部２を構成する複数の分割体２Ａ同志をヒンジ部11を介して回動自在に連結すると共に、この分割体２Ａ同志を開放回動することで収納部４を閉塞状態から開放できる。
【００２５】
いずれにしても、分割体２Ａ同志を分離するか或いは回動することで簡単に本体部２の収納部４を開放でき、この開放された収納部４内に、香料液をしみ込ませる保水性部材３を出し入れできる。
【００２６】
即ち、前述のようにして開放した収納部４内に、好みの香料液をしみ込ませた保水性部材３を入れ、互いに分離した分割体２Ａ同士を分離前の一体化した状態に復帰させる，若しくは開放回動した分割体２Ａ同志を閉塞回動して収納部４を閉塞状態とすることで、本体部２の収納部４内に前記保水性部材３を収納できる。
【００２７】
このように収納部４内に収納した保水性部材３にしみ込ませた香料液からの香りを、香り導出部５から本体部２の外部へと導出できることとなる。
【００２８】
従って、本体部２を連結した装着部１を着用した着用者は、本体部２の外観上の装飾性だけでなく、香り導出部５から導出される香りをも楽しむことができることとなる。
【００２９】
また、単に本体部２の収納部４内に香料液を貯液するのではなく、香料液をしみ込ませた保水性部材３を収納部４内に収納する構成の為、香料液が液体のまま収納部４内から前記香り導出部５を通じて本体部２の外部へ漏流するといった心配もない（保水性部材３によって漏流は阻止される）。
【００３０】
香料液を肌に直接付ける場合、最初は香りが強く徐々にその香りが消失するから、香料液を付ける量が多ければ長時間香りを楽しめるものの香りが強すぎる場合があり、一方、付ける量が少なければ適度な（ほのかな）香りを楽しめるものの香りが長時間維持できない欠点がある。
【００３１】
この点、本考案は香料液からの香りを本体部２の収納部４内から香り導出部５を介して外部に導出させるので、この香り導出部５の設計次第で（例えば後述する実施例のようにこの香り導出部５を小さな孔などに設計すれば）、強すぎず適度な（ほのかな）香りが生ずるように構成することも容易に設計・実現可能である。また、単に肌の表面に香料液を付着させるのではなく、収納部４内に収納した保水性部材３に香料液をたっぷりとしみ込ませておくこともできる為、香りを長時間維持することも容易に可能となる。
【００３２】
従って本考案は、着用者の好みの香料液をしみ込ませた保水性部材３を本体部２の収納部４内に収納するだけで好みの香りを適度な強さで長時間楽しむことができ、見た目のお洒落と香りのお洒落の双方を良好に楽しむことができる画期的な装身具用装飾体となる。
【実施例１】
【００３３】
本考案の具体的な実施例１について図面に基づいて説明する。
【００３４】
本実施例は、チェーンやリングなどの装着部１に連結して着用する装身具用装飾体であって、前記装着部１を挿通連結する挿通孔２ａを有する本体部２を備え、この本体部２は、香料液をしみ込ませる保水性部材３を収納する収納部４を有する中空形状に形成すると共に、複数の分割体２Ａから成る構成とし、この本体部２を構成する複数の分割体２Ａ同志を分離せしめることでこの中空形状の本体部２の前記収納部４が開放されこの収納部４に前記保水性部材３を出し入れし得るように前記本体部２を構成し、この本体部２に、前記収納部４内の保水性部材３にしみ込ませた香料液の香りを外部へ導出する香り導出部５を設け、前記収納部４内に収納した保水性部材３にしみ込ませた香料液からの香りは前記香り導出部５から本体部２の外部へ導出でき、且つこの香料液が液体のまま前記香り導出部５から本体部２の外部へ漏流することは前記保水性部材３が香料液を保水することによって阻止し得るように前記本体部２を構成したものである。
【００３５】
以下、本実施例を具体的に説明する。
【００３６】
図示した通り、本実施例の本体部２は、外形状を全体視略楕円球状とし、内部に前記収納部４を有する中空形状に形成している。また図１に図示したように、本体部２は略楕円半球状の二体の分割体２Ａから成る構成とし、この分割体２Ａ同志を分離することで本体部２を高さ方向中央部を境に上下に二分割し得るように構成している。
【００３７】
この楕円半球状の分割体２Ａは夫々凹溝部４Ａを有する容器状に形成しており、この二体の分割体２Ａを後述のように螺着して組み付けた際に互いの凹溝部４Ａによって前記本体部２の収納部４を形成する構成である。
【００３８】
尚、本体部２の外形状は、図示した略楕円球状に限らず、例えば図５に図示した別例のように方形体形状などに形成しても良く、また例えば円柱状，雫形，楕円径，星型など外形状は様々設計すれば良く、いずれにしても内部に前記保水性部材３を収納する収納部
４を有する中空形状であればどのような外形状に設計しても良い。また三体以上の複数の分割体２Ａから成る構成としても良い。
【００３９】
また、本体部２を構成する部材は、例えばプラスチック製や金属製，硝子製，セラミック製，その他様々採用でき、本実施例ではチタン製部材から成る構成とした。
【００４０】
また、前記本体部２は、前記二体の前記分割体２Ａ同士を互いに螺着及び螺脱自在に構成してこの二体の分割体２Ａ同志を着脱自在に構成している。
【００４１】
具体的には、図１，２に図示したように、略楕円半球状の二体の分割体２Ａのうち一方（図１及び図２中，下位置）の分割体２Ａの凹溝部４Ａの開口縁部から延設状態に螺子部７を形成し、この螺子部７の周面には螺合部７ａを形成している。これは、もう一方（図１及び図２中，上位置）の分割体２Ａの凹溝部４Ａ内に形成された螺着部８に着脱自在に螺合されるものである。
【００４２】
従って、図２に図示したように、前記螺着部８と螺合部７ａとが螺合するように一方の分割体２Ａの螺子部７をもう一方の分割体２Ａ内に螺入操作することでこの二体の分割体２Ａ同志を螺着し、反対にこの分割体２Ａ同志を離反方向に螺動操作することでこの二体の分割体２Ａ同志を螺脱して分離する構成である。即ち、一方の分割体２Ａの螺合部７ａともう一方の分割体２Ａの螺着部８との螺着脱操作によって、本体部２を二体に分離・組み付けできる構成である。
【００４３】
本体部２の収納部４に収納する保水性部材３は、スポンジなど香料液を保水し得るものであればどのようなものでも良く、その形状もどのように設計しても良いが、図示した本実施例では、前記本体部２を構成する一方（螺入部７を延設した方）の分割体２Ａの凹溝部４Ａ内に合致嵌合し得る円筒状のスポンジを採用している。
【００４４】
また、この本体部２に形成する香り導出部５は、収納部４内からこの本体部２の外部へと通ずる導出孔５ａをこの本体部２の所定箇所に形成して成る構成としている。
【００４５】
具体的には、本体部２に貫通形成した前記挿通孔２ａの途中部とこの本体部２の前記収納部４とを連通する連通路６を本体部２に形成し、この連通路６と前記挿通孔２ａとによって前記本体部２の収納部４内からこの本体部２の外部へと通ずる前記導出孔５ａを構成している。即ち、本体部２には二体の楕円半球状の分割体２Ａのうち、一方の分割体２Ａの径小な先端寄り位置に左右貫通状態に孔を穿設し、この孔を、チェーンやリングなどを挿通連結する為の前記挿通孔２ａとして構成している。そしてこの分割体２Ａの凹溝部４Ａの溝底部を挿通孔２ａの途中部に連通して前記連通路６を形成し、この連通路６と前記挿通孔２ａとにより前記香り導出部５の導出孔５ａを構成したものである。
【００４６】
従って、本体部２の収納部４内から香料液の香りが前記連通路６及び挿通孔２ａを通じて本体部２の外部に導出される。
【００４７】
また、収納部４内から香り導出部５を通じて強すぎず適度に（ほのかに)香りが導出されるように考慮し、図２に図示したように、香り導出部５を設けた前記分割体２Ａの凹溝部４Ａは溝底部近傍を先細り形状に形成し、その先細った径小な溝底部を前記挿通孔２ａの途中部に連通することで、前記連通路６を径小に設定し、これにより香り導出量を適量に抑えた構成としている。
【００４８】
尚、本実施例では香り導出部５の導出孔５ａを、連通路６と挿通孔２ａとから成る構成としたが、これに限らず、例えば図４に図示した別例のように、前記挿通孔２ａとは別に前記本体部２の外部からこの本体部２の収納部４に向けて直線的に導出孔５ａを貫通形成した構成としても良い。
【００４９】
また、例えば図６及び図７に図示した別例のように、本体部２の高さ方向中間位置に導出孔５ａを形成して成る構成としても良い。具体的には、図６に図示したように、略楕円半球状にして前記螺子部７を延設した一方の分割体２Ａの前記螺子部７の基端部に左右に貫通孔９を形成し、もう一方の分割体２Ａの凹溝部４Ａの溝開口縁には複数の切り欠き部10を形成した構成とし、この貫通孔９と前記切り欠き部10とにより前記導出孔５ａを形成した構成とする。この別例によれば、本体部２の収納部４内からの香料液の香りは、香り導出部５の導出孔５ａとしての前記導出部貫通孔９及び切り欠き部10を通じて本体部２の外部へと確実に導出されることとなる。
【００５０】
他にも上述した本実施例と同様の香り導出作用を発揮し得るものであればどのように導出孔５ａを形成しても良い。
【００５１】
しかし、図１及び図２に図示した本実施例のように、香り導出部５の導出孔５ａを、連通路６と挿通孔２ａとから成る構成とした場合、即ち装着部１を挿通連結する為の挿通孔２ａが、香りを導出する導出孔５ａの一部としての機能も兼ねる構成とした場合、この挿通孔２ａを貫通形成した以外に、他の部位にわざわざ香りを導出するための孔を形成する必要が無い。
【００５２】
つまり、本体部２に無駄に多くの孔を形成する必要が無く、それだけ本体部２には装着部１を挿通連結するための挿通孔２ａのみが孔穿設されたシンプルなデザインに設計することができる。そのように設計した場合、香りを導出する孔など形成されていないかのようなシンプルな外観を呈しながら、しかし確実に連通路６と挿通孔２ａとを通じて収納部４内から香りを外部へと導出することができる秀れた構成となるという利点がある。
【００５３】
以上、本実施例は上述のように構成したから、本体部２を構成する一対の分割体２Ａ同志を螺脱分離して収納部４を開放し、好みの香料液をしみ込ませた保水性部材３を分割体２Ａの凹溝部４Ａ内に配して分割体２Ａ同志を螺着組み付けすることで、香料液をしみ込ませた保水性部材３を本体部２の収納部４内に収納できる。
【００５４】
この本体部２の一方の分割体２Ａに貫通状態に形成した挿通孔２ａに、例えばチェーンやリングなどの装着部１を挿通連結する、即ち例えば図３に図示したように、この本体部２の挿通孔２ａにリングを挿通連結し、そのリングをブレスレットチェーンに連結するなどして、装着部１と共に本体部２を着用する。
【００５５】
これにより着用者は、本体部２の見た目の装飾性を楽しめることは勿論、前記本体部２の収納部４内から香り導出部５を通じて外部に導出される香りを楽しむことができる。
【００５６】
また、本体部２の挿通孔２ａに挿通連結することでブレスレットやアンクレット，ペンダントなど様々な装身具用の装飾体として本実施例品を使用できる。
【実施例２】
【００５７】
本実施例は、上述した実施例１の別例であって、本体部２を構成する複数の分割体２Ａ同志を、ヒンジ部11を介して回動自在に連結すると共に、この分割体２Ａ同志を開放回動することで収納部４が閉塞状態から開放されるように構成した別例である。
【００５８】
具体的には、図８に図示したように、前記本体部２は、二体の前記分割体２Ａ同志を互いに付き合わせると共に、その付き合わせ面の端部を前記ヒンジ部11を介して枢着連結した構成としている。
【００５９】
更に具体的には、二体の分割体２Ａはいずれも凹溝部４Ａを有する方形箱状に構成すると共に、その開口側を互いに付き合わせた際に付き合わせ面が重合する形状に構成している。そしてこの互いの付き合わせ面の端部をヒンジ部11を介して枢着連結している。
【００６０】
従って、この二体の分割体２Ａ同志を回動することで、本体部２の収納部４を開放回動及び閉塞回動できる。
【００６１】
また、一方（図８中，下位置）の分割体２Ａは、凹溝部４Ａを底深に形成し、前記保水性部材３全体をこの一方の分割体２Ａの凹溝部４Ａ内に収まるように溝深さを設定している。もう一方（図８中，上位置）の分割体２Ａは、凹溝部４Ａを底浅に形成しており、その上面部（凹溝部４Ａの開放側と反対側の面）には、前記装着体１を挿通連結するための挿通孔２ａを有する挿通部を突設しており、更にこの上面部には上下に貫通状態にして本体部２の収納部４内と外部とを連通する導出孔５ａを形成して香り導出部５を設けた構成としている。
【００６２】
尚、この本体部２を構成する分割体２Ａの形状は、図８に図示した方形箱状に限られるものでは無く、例えば上述した実施例１のように略楕円半球状に構成しても良いし、例えば図９に図示した別例のように、本体部２を構成する分割体２Ａを夫々薄皿状に構成しても良く、その他どのような形状にも設計可能である。
【００６３】
その余は、実施例１と同様である。
【００６４】
尚、本実施例のように分割体２Ａ同志をヒンジ部11を介して枢着連結する構成とした場合には、この分割体２Ａ同志を閉塞回動させて収納部４を閉塞した状態を保持する何らかのロック機構を設けることが望ましい。具体的には、例えば分割体２Ａ同志を閉塞回動方向に付勢する付勢手段をヒンジ部に設けたり、例えば分割体２Ａ同志を閉塞回動し収納体４を閉塞した状態で、一方の分割体２Ａに設けたバックルを他方の分割体２Ａの外面部のバックル係止部に係止して分割体２Ａ同志を閉塞保持する構成など、何らかのロック機構を設けることで分割体２Ａ同志を閉塞状態に保持できる。但し、やはり上述した実施例１のように、分割体２Ａ同志を着脱自在に螺合する構造とした場合には、このようなロック機構が不要でありシンプルな構成で分割体２Ａ同志を簡単に螺着脱できるメリットが有る。
【００６５】
また、本考案は、実施例１，２に限られるものではなく、各構成要件の具体的構成は適宜設計し得るものである。
【図面の簡単な説明】
【００６６】
【図１】実施例１に係る装身具用装飾体の説明分解斜視図である。
【図２】実施例１に係る装身具用装飾体の説明正断面図である。
【図３】実施例１に係る装身具用装飾体の使用状態説明図である。
【図４】実施例１の別例を示す概略説明正断面図である。
【図５】実施例１の別例を示す説明斜視図である。
【図６】実施例１の別例を示す説明分解斜視図である。
【図７】実施例１の別例を示す概略説明正断面図である。
【図８】実施例２に係る装身具用装飾体の説明斜視図である。
【図９】実施例２の別例を示す説明斜視図である。
【符号の説明】
【００６７】
１  装着部
２  本体部
２ａ  挿通孔
２Ａ  分割体
３  保水性部材
４  収納部
５  香り導出部
５ａ  導出孔
６  連通路
11  ヒンジ部
【図１】
0003136989.tif 000003
【図２】
0003136989.tif 000004
【図３】
0003136989.tif 000005
【図４】
0003136989.tif 000006
【図５】
0003136989.tif 000007
【図６】
0003136989.tif 000008
【図７】
0003136989.tif 000009
【図８】
0003136989.tif 000010
【図９】
0003136989.tif 000011